(57)【特許請求の範囲】
【請求項１】
受信契約を必要とするデジタル放送を受信可能なデジタル放送用テレビ装置において、映像表示画面に貼着され使用開始まで映像表示画面を保護すると共に、映像表示画面に重なる位置に受信契約を促す情報が表示され、映像表示画面から除去されると除去された痕跡をテレビ装置本体側に残す受信契約受諾表示部が設けられた画面保護用フィルムを備えたことを特徴とするデジタル放送用テレビ装置。
【請求項２】
上記受信契約表示部は画面保護用フィルムの周縁であって、テレビ装置本体に貼着した状態で視聴者から見えない場所に位置するように、ミシン目を介して延設された貼着片であり、この貼着片の裏側に、貼着された貼着片の除去が困難な強力な接着剤を塗布したことを特徴とする請求項１に記載のデジタル放送用テレビ装置。
【請求項３】
上記受信契約を促す情報が表示される範囲は透明で映像表示画面に表示されるテレビ画像を確認することが可能であり、かつ、この情報が、電源がオフされた状態での映像表示画面を背景にして視認しやすい視認好適色で表示されたことを特徴とする請求項１または請求項２に記載のデジタル放送用テレビ装置。
【請求項４】
上記画面保護用フィルムに受信契約の約款を表示させたことを特徴とする請求項１から請求項３のいずれかに記載のデジタル放送用テレビ装置。
【発明の詳細な説明】
【技術分野】
【０００１】
本発明は、使用開始までの間、映像表示画面を保護するための画面保護用フィルムが貼着されたデジタル放送が受信可能なデジタル放送用テレビ装置に関する。
【背景技術】
【０００２】
地上波デジタル放送が受信可能なデジタル放送用テレビ装置は、限定受信システムによってデジタル放送のコンテンツ管理がされている。この限定受信システムはコンディショナルアクセスシステム(CAS:Conditional Access System)とも呼ばれ、具体的にはＣ−ＣＡＳカードやＢ−ＣＡＳカードと呼ばれるＩＣカードをテレビ装置本体にセットしないと画面が表示されないように設定されている。
【０００３】
これらＩＣカードは初期状態ではテレビ装置本体にセットされておらず、別に密閉状態で包装されてテレビ装置に付属されている。そして、テレビ装置を購入した所有者は、包装に表示されている受信契約を承諾すると、包装を開封してＩＣカードを取り出し、テレビ装置本体にセットする、いわゆるシュリンクラップ契約の手法が採用されている。
【０００４】
ところが、新築マンションの浴室テレビのように、まだ浴室テレビの所有者が決定されていない状態で浴室テレビを設置する場合、施工業者による受信確認のためＩＣカードを浴室テレビにセットする必要が生じる。また、浴室テレビはチューナ部が屋根裏等の居住空間以外にセットされ、かつＩＣカードはチューナ部にセットするため、マンションを購入した浴室テレビの所有者が入居後にチューナ部にＩＣカードをセットすることは困難である。
【０００５】
そこで、ＩＣカードは施工業者が施工時にチューナ部にセットしておき、マンションを購入した所有者が浴室テレビの使用を開始する際に解除コードの入力を行うことによって受信契約を承諾したとするものが、特願２００６-３０４７７６号として出願されている。
【０００６】
なお、液晶テレビは工場出荷時から使用開始までの間に映像表示画面にキズ等が付かないように画面保護用フィルムが貼着されており、使用開始時にはその画面保護用フィルムを除去してテレビ画像を鑑賞する（例えば、特許文献１参照）。
【特許文献１】特開平７−２６２２３号公報
【発明の開示】
【発明が解決しようとする課題】
【０００７】
上述の、使用開始時に解除コードの入力を行うものでは、テレビ装置側に解除コードの入力部の表示や解除コードが入力されるとテレビ画像の表示を可能とする機能を追加しなければならず、テレビ装置に制御ソフトの追加等の改造を行わなければならないので、テレビ装置のコストが高くなるという不具合が生じる。
【０００８】
そこで本発明は、上記の問題点に鑑み、テレビ装置に何らの機能追加をすることなく、受信契約を成立させることのできるデジタル放送用テレビ装置を提供することを課題とする。
【課題を解決するための手段】
【０００９】
上記課題を解決するために本発明によるデジタル放送用テレビ装置は、受信契約を必要とするデジタル放送を受信可能なデジタル放送用テレビ装置において、映像表示画面に貼着され使用開始まで映像表示画面を保護すると共に、映像表示画面に重なる位置に受信契約を促す情報が表示され、映像表示画面から除去されると除去された痕跡をテレビ装置本体側に残す受信契約受諾表示部が設けられた画面保護用フィルムを備えたことを特徴とする。
【００１０】
画面表示用フィルムを映像表示画面から除去する行為がシュリンクラップと同様に受信契約の承諾に相当し、除去された痕跡が残るため、事後であっても受信契約の承諾を確認することができる。
【００１１】
なお、上記受信契約表示部は画面保護用フィルムの周縁であって、テレビ装置本体に貼着した状態で視聴者から見えない場所に位置するように、ミシン目を介して延設された貼着片であり、この貼着片の裏側に、貼着された貼着片の除去が困難な強力な接着剤を塗布するように構成してもよい。
【００１２】
液晶表示部は通電していない状態では黒く見える。そのため、上記受信契約を促す情報が表示される範囲は透明で映像表示画面に表示されるテレビ画像を確認することが可能であり、かつ、この情報が、電源がオフされた状態での映像表示画面を背景にして視認しやすい視認好適色で表示されることにより、上記情報を確認しやすくすることができる。なお、ここで言う視認好適色とは黒色の背景に対して視認しやすい色であれば特に限定されるものではなく、白色に代表される明るい色であればよく、例えば緑、青、赤といった比較的暗い色でも白色を混ぜることにより明るい色になっておれば視認好適色に含まれる。
【００１３】
上記受信契約の約款は別途紙に印刷しテレビ装置に同梱してもよいが、画面保護用フィルムに約款を表示させてもよい。
【発明の効果】
【００１４】
以上の説明から明らかなように、本発明は、デジタル放送用テレビ装置に貼着された画面保護用フィルムに受信契約を促す表示をし、その画面保護用フィルムを除去することにより受信契約の承諾となるので、テレビ装置のソフトやハードに対して何ら機能を付加する必要がない。
【発明を実施するための最良の形態】
【００１５】
図１において、１は本発明によるデジタル放送用テレビ装置である浴室テレビであり、貼着されていた画面保護用フィルムが除去された状態を示している。この浴室テレビ１は浴室ＢＲの壁面に取り付けられておりデジタル放送を受信することができる。この浴室テレビ１のチューナ部１１は浴室ＢＲの屋根裏に設置されており、浴室テレビ１とチューナ部１１とはケーブルで接続されている。また、デジタル放送を受信するためのＩＣカードはチューナ部１１にセットするように構成されている。
【００１６】
図１に示すものは壁面Ｗに取り付けられ、使用を開始した後の状態であるが、工場から出荷され、壁面Ｗに取り付けられる前の状態は、図２に示すように、映像表示画面１２に画面保護用フィルム２が貼着されている。浴室テレビ１の映像表示画面１２の左右にはスピーカを覆う１対のカバー１５が着脱自在に取り付けられている。また、映像表示画面１２の上部には上カバー１３が着脱自在に取り付けられており、下部には下カバー１４が着脱自在に取り付けられている。
【００１７】
画面保護用フィルム２は映像表示画面１２の全域を覆うと共に、図において右側に延設された折返し部２１が設けられている。この折返し部２１は特にいずれかに貼着する必要はないが、適宜画面保護用フィルム２に仮止めして開かないようにしてもよい。
【００１８】
画面保護用フィルム２は工場内において出荷前に浴室テレビ１に貼着される。画面保護用フィルム２は図３に示すように、上縁および下縁にミシン目２２ａを介して貼着片２２が設けられている。画面保護用フィルム２の裏面には映像表示画面１２に貼着するための表面処理が施されており、映像表示画面１２に密着するが簡単に除去することができ、除去した後には映像表示画面１２の表面に汚れ等が残留しないように構成されている。
【００１９】
これに対して、貼着片２２の裏面には一旦貼着されると貼着片２２を除去することが困難になるように、強力な接着剤が塗布されている。この貼着片２２は上カバー１３と下カバー１４とを取り外した状態で浴室テレビ１に貼着され、その後で上カバー１３と下カバー１４とが浴室テレビ１に取り付けられる。
【００２０】
画面保護用フィルム２は透明な樹脂フィルムで構成されており、画面保護用フィルム２が映像表示画面１２に貼着された状態でも映像表示画面１２に表示されるテレビ画像をチェックすることができる。ただし、画面保護用フィルム２が貼着された状態で映像表示画面１２のほぼ中央に位置するように、受信契約を促す情報を表示するための表示領域２３を設けた。この表示領域２３には、画面保護用フィルム２を浴室テレビ１から除去すると、デジタル放送を受信することを承諾したとみなす旨の内容が、視認好適色の一例である白色で印刷されている。
【００２１】
映像表示画面１２は電源がオンになっていない状態では黒色であるため、白色やその他の明るい色である視認好適色で印刷されている文字は認識されやすい。また、折返し部２１には受信契約の約款を印刷する約款領域２４を設けた。この約款領域２４は領域全体が白色で不透明に印刷されており、不透明な白色の領域に例えば黒文字で約款が印字されている。なお、この約款は折返し部２１を開いた状態で約款が読めるように、すなわち表側から読めるように印字されており、折返し部２１を折りたたんだ状態で前方から視認できる面である裏面には、約款が印字されている旨やその他の情報を印字してもよい。
【００２２】
浴室テレビ１は設置業者によって浴室ＢＲの壁面Ｗに設置されるが、その段階では画面保護用フィルム２は貼着されたままの状態にある。浴室テレビ１が壁面Ｗに取り付けられ、その後に浴室テレビ１の使用を開始する際に、受信契約を承諾する場合に、その承諾の意思表示として使用者が自ら画面保護用フィルム２を除去する。
【００２３】
貼着片２２は強力に接着されているので、図４においてａで示すミシン目２２ａの位置で千切れて、貼着片２２が画面保護用フィルム２から切り離されて上カバー１３および下カバー１４に隠れる位置に残留することになる。後日、受信契約を承諾したか否かが問題となる場合には両カバー１３，１４を外して貼着片２２が残留していることを確認し、受信契約を承諾したことを証明することができる。
【００２４】
ところで、上記の実施の形態では、貼着片２２が残留するようにしたが、貼着片２２を除去するとその後に接着面の一部が文字形状に残留するようにしてもよい。
【００２５】
なお、本発明は上記した形態に限定されるものではなく、本発明の要旨を逸脱しない範囲内において種々の変更を加えてもかまわない。
【図面の簡単な説明】
【００２６】
【図１】本発明の一実施の形態の構成を示す図
【図２】浴室テレビの出荷状態を示す図
【図３】画面保護用フィルムの貼着状態を示す図
【図４】画面保護用フィルムの除去時の状態を示す図
【符号の説明】
【００２７】
１ 浴室テレビ
２ 画面保護用フィルム
１１ チューナ部
１２ 映像表示画面
２２ 貼着片
２２ａ ミシン目
２３ 表示領域
２４ 約款領域
【図１】
0004926102.tif 000002
【図２】
0004926102.tif 000003
【図３】
0004926102.tif 000004
【図４】
0004926102.tif 000005